(57)【特許請求の範囲】
【請求項１】
呼吸ライト群と、扉体（２２）と、扉ヒンジ（２６）と、筐体（２１）と、コンピュータプログラムコントローラとを含む洗濯機であって、
前記呼吸ライト群は、前記扉体（２２）に設置され、複数の呼吸ライトから構成され、
コンピュータプログラムコントローラは、洗濯機の作業プロセスの変化に基づいて、前記呼吸ライト群における複数の呼吸ライトの明暗数の割合を変更するように設置され、
前記扉体（２２）は、前記扉ヒンジ（２６）により前記筐体（２１）に接続され、前記扉ヒンジ（２６）は、前記呼吸ライト群のハーネスを収容する通路を有し、前記ハーネスは、前記通路を経て前記筐体（２１）を通って前記洗濯機のコンピュータプログラムコントローラに接続されて、
前記扉体（２２）は、外枠、中枠（２２２）及びガラス窓を含み、前記ガラス窓の外縁は、前記ガラス窓を固定するように、前記外枠と前記中枠（２２２）との間に設置され、前記中枠（２２２）は、外周から中心位置へ順次に外環面（２２２１）、中環面（２２２２）、環形凹溝（２２２３）、及び前記ガラス窓（２２３）を固定するための取付部（２２２４）が設置され、前記中環面（２２２２）は、前記外環面（２２２１）に対して斜めに設置され、前記中環面（２２２２）の前記環形凹溝（２２２３）に近い側は、前記外枠に向かって傾斜し、
前記呼吸ライト（２５）は、前記環形凹溝（２２２３）の前記中環面（２２２２）に近い側壁に設置され、
前記中環面（２２２２）は、内に向かって突出する円弧面である、洗濯機。
【請求項２】
前記扉ヒンジ（２６）は、ヒンジベース（２６１）、ヒンジベース（２６１）に設置された支持片持ち（２６２）、及び支持片持ち（２６２）の自由端部に設置された回転軸（２６３）を含み、
前記通路は、前記支持片持ち（２６２）に設置されるとともに、前記ヒンジベース（２６１）を通る、請求項１に記載の洗濯機。
【請求項３】
前記通路は、前記支持片持ち（２６２）の少なくとも１つの側面に設置された凹溝（２６４）、及び前記ヒンジベース（２６１）に設置された貫通孔を含み、前記凹溝（２６４）は、前記支持片持ち（２６２）の自由端から前記ヒンジベース（２６１）まで延びて前記貫通孔と連通する、請求項２に記載の洗濯機。
【請求項４】
前記凹溝（２６４）内にハーネス固定構造が設置されている、請求項３に記載の洗濯機。
【請求項５】
前記ハーネス固定構造は、前記凹溝（２６４）の対向する両側壁に突設された複数のリブ（２６５）を含み、
前記複数のリブ（２６５）は、交互に設置されている、請求項４に記載の洗濯機。
【請求項６】
前記凹溝（２６４）の溝口を閉鎖するように、前記凹溝（２６４）の溝口に閉鎖カバーが取り外し可能に設置されている、請求項３に記載の洗濯機。
【請求項７】
前記ハーネスは、金属ペーストにより前記凹溝（２６４）の内壁に固定されている、請求項３又は６に記載の洗濯機。
【請求項８】
隣り合う２つの前記呼吸ライトの間に、導光体が設置されている、請求項１〜４のいずれか一項に記載の洗濯機。
【請求項９】
前記作業プロセスの変化は、選択されたプログラムが既に運転した時間又は残り時間と、選択されたプログラムの合計運転時間との割合の変化である、請求項１〜４のいずれか一項に記載の洗濯機。
【請求項１０】
前記洗濯機は、更に扉体の内側の周辺、制御パネル及び／又は筐体の前板に前記呼吸ライト群が設置されている、請求項１〜４のいずれか一項に記載の洗濯機。
【請求項１１】
前記呼吸ライト群における呼吸ライトは、環状、帯状、矩形、扇形、楕円形又は円形に設置されている、請求項１〜４のいずれか一項に記載の洗濯機。
【請求項１２】
前記コンピュータプログラムコントローラにより、呼吸ライト群における呼吸ライトの明暗数の割合を変更することで、洗濯機の異なる作業プログラムを区別して表示することを含む、請求項１〜１１のいずれか一項に記載の洗濯機を制御する方法。
【発明の詳細な説明】
【技術分野】
【０００１】
本出願は、洗濯機器の技術分野に関し、例えば、洗濯機に関する。
【背景技術】
【０００２】
関連技術において、洗濯機の作業状態は、パイロットランプ、文字及び数字などの組み合わせにより表示されることが多い。図１に示すように、ドラム式洗濯機の外壁全体は、筐体１１と、扉体１２と、上蓋板１３と、制御板１４との４つの大きい部分から構成され、前記筐体１１の前端は、前板１１１であり、前記扉体１２は、前記筐体１１の前板１１１に設置され、前記上蓋板１３は、前記筐体１１の上端に設置され、前記制御板１４は、前記筐体１１の前端に設置されるとともに、前記前板１１１の上端に位置する。
【０００３】
そのうち、制御板１４は、洗濯プログラムの選択や作業状態の表示などに対する制御を担っている。制御板１４に、機能選択つまみ１４１、電源ボタン１４２、残り時間表示領域１４３及び作業状態表示領域１４４が設置され、それぞれ異なる機能を実現するために用いられている。そのうち、作業状態表示領域１４４は、一般的にパイロットランプ１４４１と文字記載サブ領域１４４２から構成されている。洗濯機がある状態（例えば、濯ぎ）まで運転すると、洗濯機の現在の運転状態を使用者に通知するように、当該状態を記載する文字の隣にあるパイロットランプが点灯する。また、関連技術に係る洗濯機には、残り時間表示領域が設置されているが、当該残り時間表示領域も、通常は単調な数字で残り時間を使用者に提示する。
【０００４】
以上の表示方式の表示効果は、あまり理想的ではなく、例えば、ユーザが洗濯機から離れすぎている場合、パイロットランプに対応する文字記載のフォントが小さすぎるため、ユーザは、作業状態表示領域において、どのパイロットランプ群が点灯しているかがはっきりと見えず、パイロットランプの隣にある文字記載もはっきりと見えず、同様に残り時間表示領域１４３における数字もはっきりと見えない。この場合、ユーザは、洗濯機の現在の運転状態がわからないため、適切な処置をタイムリーに行うことができず、非常に不便である。
【０００５】
次に、関連技術における洗濯機の作業状態及び残り時間の表示効果は、直感的であるものの、リズムが硬く、柔軟性と視覚的インパクトに欠け、自然で躍動的であるものではないため、製品のスマート化概念に融合しにくい。
【０００６】
また、扉体に設置され電力を供給する必要がある電気機器は、そのハーネスが洗濯機の内部の電源に接続される必要があるため、ハーネスが外部に露出される。これは、外観の美しさに影響を与えて、また一方で、扉を頻繁に開閉することでハーネスに損傷を与えやすくなり、電気機器の正常使用に影響を与える。
【０００７】
以上の説明から、ユーザが洗濯機から離れすぎた場合、作業状態表示領域において、どのパイロットランプ及び文字記載の群が点灯しているかがはっきりと見えず、残り時間表示領域における数字もはっきりと見えない情況になり、更に、洗濯機の現在の運転状態もわからず、また、ハーネスが外部に露出することで、外観の美しさに影響を与え、ハーネスに損傷を与えやすい、という関連技術に存在する課題を解決するために、新しい運転状態及び残り時間の表示効果を有する洗濯機が必要となる。
【発明の概要】
【０００８】
本出願は、ユーザが、洗濯機から遠く離れた場合においても、洗濯機の現在の運転状態を把握することができ、使用しやすいとともに、ハーネスが隠れて設置されるため、外観が美しく、損傷しにくい洗濯機を提示する。
【０００９】
本出願は、以下の技術的手段を採用する。
【００１０】
呼吸ライト群と、扉体（２２）と、扉ヒンジ（２６）と、筐体（２１）と、コンピュータプログラムコントローラとを含む洗濯機であって、前記呼吸ライト群は、前記扉体に設置され、複数の呼吸ライトから構成され、コンピュータプログラムコントローラは、洗濯機の作業プロセスの変化に基づいて、前記呼吸ライト群における複数の呼吸ライトの明暗数の割合を変更するように設置され、
前記扉体は、前記扉ヒンジにより前記筐体に接続され、前記扉ヒンジは、前記呼吸ライト群のハーネスが通されるとともに収容される通路を有し、前記ハーネスは、前記通路を経て前記筐体を通って前記洗濯機のコンピュータプログラムコントローラに接続されている。
【００１１】
好ましくは、前記扉ヒンジは、ヒンジベース、ヒンジベースに設置された支持片持ち、及び支持片持ちの自由端部に設置された回転軸を含み、
前記通路は、前記支持片持ちに設置されるとともに、前記ヒンジベースを通る。
【００１２】
好ましくは、前記通路は、前記支持片持ちの少なくとも１つの側面に設置された凹溝、及び前記ヒンジベースに設置された貫通孔を含み、前記凹溝は、前記支持片持ちの自由端から前記ヒンジベースまで延びて前記貫通孔と連通する。
【００１３】
好ましくは、前記凹溝内にハーネス固定構造が設置されている。
【００１４】
好ましくは、前記ハーネス固定構造は、前記凹溝の対向する両側壁に突設された複数のリブを含み、
好ましくは、前記複数のリブは、交互に設置されている。
【００１５】
好ましくは、前記凹溝の溝口を閉鎖するように、前記凹溝の溝口に閉鎖カバーが取外し可能に設置されている。
【００１６】
好ましくは、前記ハーネスは、金属ペーストにより前記凹溝の内壁に固定されている。
【００１７】
好ましくは、隣り合う２つの前記呼吸ライトの間に、導光体が設置されている。
【００１８】
好ましくは、前記扉体は、外枠、中枠及びガラス窓を含み、前記ガラス窓の外縁は、前記ガラス窓を固定するように、前記外枠と前記中枠との間に設置され、前記中枠は、外周から中心位置へ順次に外環面、中環面、環形凹溝、及び前記ガラス窓を固定するための取付部が設置され、前記中環面は、前記外環面に対して斜めに設置され、前記中環面の前記環形凹溝に近い側は、前記外枠に向かって傾斜し、
前記呼吸ライトは、前記環形凹溝の前記中環面に近い側壁に設置され、
好ましくは、前記中環面は、内に向かって突出する円弧面である。
【００１９】
好ましくは、前記作業プロセスの変化は、選択されたプログラムが既に運転した時間又は残り時間と、選択されたプログラムの合計運転時間との割合の変化である。
【００２０】
好ましくは、前記洗濯機は、更に扉体の内側の周辺、制御パネル及び／又は筐体の前板に前記呼吸ライト群が設置されている。
【００２１】
好ましくは、前記呼吸ライト群における呼吸ライトは、帯状、環状、扇形、矩形、楕円形又は円形に設置されている。
【００２２】
好ましくは、前記コンピュータプログラムコントローラにより、呼吸ライト群における呼吸ライトの明暗数の割合を変更することで、洗濯機の異なる作業プログラムを区別して表示する。
【００２３】
前記コンピュータプログラムコントローラにより、呼吸ライト群における呼吸ライトの明暗数の割合を変更することで、洗濯機の異なる作業プログラムを区別して表示することを含む、上記のいずれか一項に記載の洗濯機を制御する方法。
【００２４】
本出願に係る洗濯機は、呼吸ライト群、扉体（２２）、扉ヒンジ（２６）、筐体（２１）、及びコンピュータプログラムコントローラを含み、呼吸ライト群は、前記扉体に設置され、複数の呼吸ライトから構成され、コンピュータプログラムコントローラは、洗濯機の作業プロセスの変化に基づいて、前記呼吸ライト群における複数の呼吸ライトの明暗数の割合を変更するように設置され、呼吸ライトの明暗状態が観察しやすい。また、扉ヒンジは、呼吸ライト群のハーネスが通されるとともに収容される通路を有することで、ハーネスを扉ヒンジ内に隠すことができる。よって、ハーネスが効果的に固定されて保護される一方、ユーザには外部からハーネスが見えず、洗濯機の外観が美しくなる。
【００２５】
以下、本発明の実施例の説明に使用すべき図面を簡単に説明する。下記図面は、本出願の幾つかの実施例に過ぎず、当業者にとって、創造的な労働を行わない前提で、本発明の実施例の内容とこれらの図面に基づいて他の図面を得ることができる。
【図面の簡単な説明】
【００２６】
【図１】関連技術に係る洗濯機の外部構造模式図である。
【図２】本発明の実施例１に係る洗濯プログラムが合計時間の４分の１に達した際の呼吸ライトの発光状態である。
【図３】本発明の実施例１に係る洗濯プログラムが合計時間の２分の１に達した際の呼吸ライトの発光状態である。
【図４】本発明の実施例１に係る呼吸ライトが中枠に取り付けられた構造模式図である。
【図５】図４におけるＢ−Ｂ断面図である。
【図６】本発明の実施例１に係る扉ヒンジの構造模式図である。
【図７】本発明の実施例１に係る洗濯機の扉体と扉ヒンジとの嵌合模式図である。
【図８】本発明の実施例２に係る扉ヒンジの斜視図である。
【図９】本発明の実施例２に係る扉ヒンジの平面図である。
【図１０】図７におけるＡ−Ａ断面図である。
【図１１】本発明の実施例３に係る呼吸ライト群が制御板の下縁に位置する場合の洗濯機の構造模式図である。
【図１２】本発明の実施例４に係る呼吸ライト群が筐体の前板の周辺に位置する場合の洗濯機の構造模式図である。
【図１３】本発明の実施例５に係る呼吸ライト群が扇形である場合の洗濯機の構造模式図である。
【図１４】本発明の実施例６に係る呼吸ライト群が円形である場合の洗濯機の構造模式図である。
【発明を実施するための形態】
【００２７】
以下、図面を参照しながら本発明の実施例の技術的手段を詳しく説明する。ここに記載されている実施例は、本出願の一部の実施例に過ぎず、すべての実施例ではないことは明らかである。本出願は、呼吸ライト群と、扉体（２２）と、扉ヒンジ（２６）と、筐体（２１）と、コンピュータプログラムコントローラとを含む洗濯機であって、呼吸ライト群は、扉体に設置され、呼吸ライトから構成される洗濯機を提供する。洗濯機は、洗濯機の作業プロセスの変化に基づいて、呼吸ライト群における複数の呼吸ライトの明暗数の割合を変更するように制御するためのコンピュータプログラムコントローラを含む。そのため、この洗濯機を用いると、ユーザは、洗濯機から遠く離れ、表示画面における表示内容がはっきりと見えない場合においても、呼吸ライトユニットにおける呼吸ライトの明暗数の割合に基づいて、容易に洗濯機のリアルタイム運転状態を大よそ推定することができるとともに、洗濯機のプログラムの運転スケジュール、例えばプログラムが終了するまでの時間の様子を見ることができる。よって、ユーザ体験が改善されるとともに、外観効果も向上する。
【００２８】
扉体は、扉ヒンジにより筐体に接続され、扉ヒンジは、呼吸ライト群のハーネスを収容する通路を有し、ハーネスは、通路を経て筐体を通ってコンピュータプログラムコントローラに接続されている。扉ヒンジに呼吸ライト群のハーネスが通される通路を設置することにより、ハーネスを扉ヒンジ内に隠すことができる。よって、ハーネスが効果的に固定されて保護される一方、ユーザには外部からハーネスが見えず、洗濯機の外観が美しくなる。
【００２９】
本出願において、好ましい態様として、前記作業プロセスの変化は、選択されたプログラムが既に運転した時間又は残り時間と、選択されたプログラムの合計運転時間との割合の変化である。
【００３０】
例えば、選択されたプログラムが運転していないと、全ての呼吸ライトが減光／消灯しているが、作業プロセスの変化に伴い、減光／消灯する前記呼吸ライトの数が次第に減少し、点灯する前記呼吸ライトの数が次第に増加し、作業プログラム全体の運転終了に至ると、全ての呼吸ライトが点灯状態になる。又は、洗濯機の作業が開始していないと、全ての呼吸ライトが点灯しているが、作業プロセスの変化に伴い、点灯する前記呼吸ライトの数が次第に減少し、減光／消灯する前記呼吸ライトの数が次第に増加し、作業プログラム全体の運転終了に至ると、全ての呼吸ライトが減光／消灯状態になる。
【００３１】
そのうち、作業プログラムは、ユーザの選択によって決められる。洗濯過程、濯ぎ過程及び乾燥過程は、作業プログラム全体を構成することができ、単一の洗濯過程、濯ぎ過程又は乾燥過程も、１つの作業プログラムとして呼ぶことができる。
【００３２】
洗濯過程、濯ぎ過程及び乾燥過程を１つの作業プログラムとする例として、作業プログラム全体を終了させる時間を３０ｍｉｎとし、洗濯過程を終了させる時間を１５ｍｉｎとし、濯ぎ過程を終了させる時間を１０ｍｉｎとし、乾燥過程を終了させる時間を５ｍｉｎとする。選択されたプログラムが運転していないと、全ての呼吸ライトが減光／消灯しているが、洗濯過程が終了すると、点灯する呼吸ライトの数が、呼吸ライト群全体における呼吸ライトの数の２分の１を占め、濯ぎ過程が終了すると、点灯する呼吸ライトの数が呼吸ライト群全体における呼吸ライトの数の６分の５を占め、乾燥過程が終了すると、全ての呼吸ライトが点灯状態になる。これは、作業プログラム全体の運転が既に終了したことを示す。
【００３３】
以下、幾つかの実施例により洗濯機を説明する。
【００３４】
（実施例１）
図２から図３に示すように、本出願に係る洗濯機は、筐体２１と、扉体２２と、上蓋板２３と、制御板２４とを含み、前記上蓋板２３は、前記筐体２１の上端に設置され、前記筐体２１の前端は、前板２１１であり、前記扉体２２は、前記筐体２１の前板２１１に設置され、前記扉体２２は、円形の扉体であり、前記制御板２４は、前記筐体２１の前端に設置されるとともに、前記前板２１１の上方に位置する。
【００３５】
前記制御板２４に、機能選択つまみ２４１、電源ボタン２４２及び作業状態表示領域２４４が設置されている。本実施例において、好ましい態様として、前記作業状態表示領域２４４は、パイロットランプ２４４１と、前記パイロットランプ２４４１に対応する文字記載サブ領域２４４２から構成されている。即ち、各パイロットランプは、それぞれ１つの文字記載に対応する。
【００３６】
以上の構造に加え、洗濯機に環状の呼吸ライト群が設置され、環状の呼吸ライト群は、前記扉体２２の内側の周辺に設置され、いくつかの呼吸ライト２５を一定の規則に従い順次均一に配列することにより構成され、各呼吸ライト２５は、前記呼吸ライト２５のオン／オフを制御可能な前記コンピュータプログラムコントローラとそれぞれ接続されている。
【００３７】
好ましくは、洗濯機の電源をオンにすると、扉体２２の内側の周辺における環形の呼吸ライト群が減光するが、消灯しない。ある洗濯プログラムを選定して洗濯機を起動させると、洗濯プログラムの進行に伴い、扉体２２の内側の周辺における環形の呼吸ライト群は、最大の明るさに保持されるまで、扉体２２の内側の周辺のある位置から次第に明るくなる。例えば、図２は、洗濯プログラムが合計時間の４分の１に達した際の呼吸ライト群の発光状態を示す。同図において、暗領域２５１が呼吸ライト群全体の長さの４分の３を占め、点灯領域２５２が呼吸ライト群全体の長さの４分の１を占める。これは、４分の１の洗濯プログラムが行われたが、４分の３の洗濯プログラムが行われていないことを意味する。ユーザは、当該プログラムの運転が終了する合計時間に基づいて、洗濯プログラムの運転が終了する時間を算出することができる。図３は、洗濯プログラムが合計時間の２分の１に達した際の呼吸ライト群の発光状態を示す。同図において、暗領域２５１が呼吸ライト群全体の長さの２分の１を占め、点灯領域２５２が呼吸ライト群全体の長さの２分の１を占める。これは、２分の１の洗濯プログラムが行われたが、２分の１の洗濯プログラムが行われていないことを意味する。このように、ユーザは、洗濯機から遠く離れ、表示画面における表示内容がはっきりと見えない場合においても、呼吸ライト群の発光状態に基づいて洗濯機の残り洗濯時間を大よそ推定することができる。
【００３８】
本実施例において、呼吸ライト２５の設置方式は２パターンある。好ましい態様の１つ目として、隣り合う２つの前記呼吸ライト２５の間に導光体が設置されている。導光体の両端は、それぞれ呼吸ライト２５と接触し、呼吸ライト２５からの光を伝導することができる。これにより、同じ長さの呼吸ライト群を構成するための呼吸ライト２５の数を減少させることができ、呼吸ライト２５が節約されるとともに、呼吸ライト２５の数が減少するため、コンピュータプログラムコントローラの制御過程が更に簡単になる。
【００３９】
好ましい態様の２つ目として、扉体２２は、外枠、中枠及びガラス窓を含み、ガラス窓の外縁は、ガラス窓を固定するように、外枠と中枠との間に設置されている。図４及び図５に示すように、中枠２２２は、外周から中心位置へ順次外環面２２２１、中環面２２２２、環形凹溝２２２３、及びガラス窓を固定するための取付部２２２４が設置されている。外環面２２２１は、鉛直面であり、中環面２２２２は、外環面２２２１に対して斜めに設置され、中環面２２２２の環形凹溝２２２３に近い側は、外枠に向かって傾斜する。環形凹溝２２２３は、外枠に向かって凹む。呼吸ライト２５は、環形凹溝２２２３の中環面２２２２に近い側壁に設置され、且つその光射出方向が扉体２２の中心に向かう。本実施例において、呼吸ライト２５は、ＬＥＤランプビーズであり、８０粒のＬＥＤランプビーズは、円周方向に沿って均一に環形凹溝２２２３の側壁に設置され、斜めに設置された中環面２２２２及び鉛直に設置された外環面２２２１の屈折と反射によりハロー効果を生じ、導光体を設置する必要がない。また、中環面２２２２は、内に向かって突出する円弧面に設置されてもよく、中環面２２２２の傾斜角度及び弧度は、呼吸ライト２５の射出角度範囲により決定される。
【００４０】
好ましくは、残り時間通知の確実性を確保するために、本実施例において、好ましい態様として、前記制御板２４に変わらず洗濯プログラムの残り時間を表示するための残り時間表示領域２４３が設置されている。
【００４１】
図７に示すように、扉体２２は、扉ヒンジ２６により筐体２１に接続されている。図６に示すように、扉ヒンジ２６は、ヒンジベース２６１、ヒンジベース２６１に設置された２つの支持片持ち２６２、及び支持片持ち２６２の自由端部に設置された回転軸２６３を含む。ヒンジベース２６１は、筐体２１の前板２１１に固定され、扉体２２は、回転軸２６３に回転可能に設置されている。支持片持ち２６２の隣り合う支持片持ち２６２に近い側面に凹溝２６４が開設され、凹溝２６４は、支持片持ち２６２の自由端からヒンジベース２６１まで延び、ヒンジベース２６１の凹溝２６４に対応する箇所に貫通孔が開設され、凹溝２６４は、貫通孔と連通することで、ハーネスを収容する通路を形成する。扉体２２の内側の周辺に設置された呼吸ライト群のハーネスは、扉体２２を経て通路内に入り、通路と筐体２１の前板２１１を通って洗濯機の内部に入り、コンピュータプログラムコントローラに接続されている。
【００４２】
好ましい態様として、凹溝２６４の溝口に閉鎖カバーが取外し可能に設置され、閉鎖カバーにより凹溝２６４の溝口を閉鎖することができる。これにより、扉を開閉する際にハーネスが屈曲することを防止し、ハーネスを保護する。閉鎖カバーは、ゴム、プラスチックなどの材料で製造することができ、閉鎖カバーと凹溝２６４の溝口との嵌合方式は限定されるものではなく、簡単に取り外すことができればよく、例えば、係合、挿入などの方式がある。
【００４３】
好ましくは、金属ペーストによりハーネスを凹溝２６４の内壁に接着して、ハーネスを固定することができる。
【００４４】
そのうち、ハーネスが収容される通路として、支持片持ち２６２に凹溝２６４を開設することに限定されるものではなく、通路を支持片持ち２６２の内部に設置してもよい。これにより、閉鎖カバーを設置しなくても、扉を開閉する際にハーネスが屈曲しないことを確保できる。凹溝２６４は、支持片持ち２６２の隣り合う支持片持ち２６２に近い側面に設置されることに限定されるものではなく、支持片持ち２６２の他の側面に設置されてもよく、凹溝２６４の数は、１本に限定されるものではなく、ハーネスの数に基づいて設定されてもよい。
【００４５】
（実施例２）
本実施例に係る洗濯機は、その構造が実施例１と基本的に同一であり、扉体２２は、扉ヒンジ２６により筐体２１に接続されている。図８から図１０に示すように、扉ヒンジ２６は、ヒンジベース２６１、ヒンジベース２６１に設置された２つの支持片持ち２６２、及び支持片持ち２６２の自由端部に設置された回転軸２６３を含む。ヒンジベース２６１は、筐体の前板に固定され、扉体２２は、回転軸２６３に回転可能に設置されている。支持片持ち２６２の隣り合う支持片持ち２６２に近い側面に凹溝２６４が開設され、凹溝２６４は、支持片持ち２６２の自由端からヒンジベース２６１まで延び、ヒンジベース２６１の凹溝２６４に対応する箇所に貫通孔が開設され、凹溝２６４は、貫通孔と連通することで、ハーネスを収容する通路を形成する。扉体の内側の周辺に設置された呼吸ライト群のハーネスは、扉体を経て通路内に入り、通路と筐体の前板を通って洗濯機の内部に入り、コンピュータプログラムコントローラに接続されている。
【００４６】
実施例１との相違点は以下の通りである。本実施例において、凹溝２６４内にハーネス固定構造が更に設置され、ハーネス固定構造により呼吸ライト群のハーネスを凹溝２６４内に固定することができる。本実施例において、ハーネス固定構造は、凹溝２６４の対向する両側壁に突設された複数のリブ２６５であり、呼吸ライト群のハーネスを両側のリブ２６５の間に係合することにより、ハーネスを固定する。
【００４７】
好ましい態様として、対向する両側壁のリブ２６５は、交互に設置されるため、ハーネスの固定効果を向上させることができる。
【００４８】
（実施例３）
上記実施例１及び実施例２において、呼吸ライトを扉体の周辺に設置するが、前記呼吸ライト群の位置は、上記実施例１及び実施例２に限定されるものではなく、呼吸ライトを洗濯機の他の箇所に設置してもよい。
【００４９】
本実施例において、図１１に示すように、筐体３１の前板３１１の中心位置に扉体３２が設置され、前記筐体３１の前端に制御板３４が設置されているとともに、前記制御板３４は前記前板３１１の上方に位置する。本実施例に記載の洗濯機にも呼吸ライト群が設置されている。実施例１及び実施例２との相違点は、本実施例において、前記呼吸ライト群がいくつかの呼吸ライト３５を配列することにより構成される帯状呼吸ライトであり、前記直線型呼吸ライトが前記制御板３４の下縁に設置されていることである。
【００５０】
実施例１と同様に、本実施例における扉体３２は、扉ヒンジにより筐体３１に接続され、扉ヒンジは、呼吸ライト群のハーネスを収容する通路を有し、ハーネスは、通路を経て筐体３１を通ってコンピュータプログラムコントローラに接続されている。
【００５１】
（実施例４）
本実施例において、図１２に示すように、筐体４１の前板４１１の中心位置に扉体４２が設置され、前記筐体４１の前端に制御板４４が設置されているとともに、前記制御板４４は前記前板４１１の上方に位置する。本実施例に記載の前記洗濯機にも呼吸ライト群が設置されている。実施例１、実施例２及び実施例３との相違点は、本実施例においては、前記呼吸ライト群がいくつかの呼吸ライト４５を配列することにより構成される矩形呼吸ライトであり、前記矩形呼吸ライトが前記筐体４１の前板４１１の周辺に設置されていることである。
【００５２】
実施例１と同様に、本実施例における扉体４２は、扉ヒンジにより筐体４１に接続され、扉ヒンジは、呼吸ライト群のハーネスを収容する通路を有し、ハーネスは、通路を経て筐体４１を通ってコンピュータプログラムコントローラに接続されている。
【００５３】
（実施例５）
本実施例において、図１３に示すように、筐体５１の前板５１１の中心位置に扉体５２が設置され、前記筐体５１の前端に制御板５４が設置されているとともに、前記制御板５４は前記前板５１１の上方に位置する。本実施例に記載の洗濯機にも呼吸ライト群が設置されている。実施例１、実施例２、実施例３及び実施例４との相違点は、本実施例においては、前記呼吸ライト群がいくつかの呼吸ライト５５を配列することにより構成される扇形呼吸ライトであり、前記扇形呼吸ライトが前記筐体５１の前板５１１の左下に設置されていることである。
【００５４】
実施例１と同様に、本実施例における扉体５２は、扉ヒンジにより筐体５１に接続され、扉ヒンジは、呼吸ライト群のハーネスを収容する通路を有し、ハーネスは、通路を経て筐体５１を通ってコンピュータプログラムコントローラに接続されている。
【００５５】
（実施例６）
本実施例において、図１４に示すように、筐体６１の前板６１１の中心位置に扉体６２が設置され、前記筐体６１の前端に制御板６４が設置されているとともに、前記制御板６４は前記前板６１１の上方に位置する。本実施例に記載の前記洗濯機にも呼吸ライト群が設置されている。装置実施例１、実施例２、実施例３、実施例４及び実施例５との相違点は、本実施例においては、前記呼吸ライト群が円形であり、いくつかの直径が異なる円環状のサブ呼吸ライト群を内から外へ配列することにより構成され、全ての円環状のサブ呼吸ライト群の円心が同じであり、各円環状のサブ呼吸ライト群がいくつかの呼吸ライト６５を順次連結することにより構成され、前記円形呼吸ライト群が前記筐体６１の前板６１１の左下に設置されていることである。前記呼吸ライト群は、楕円形であってもよく、いくつかの楕円環状のサブ呼吸ライト群を内から外へ順次配列することにより構成される。
【００５６】
好ましくは、前記呼吸ライトの形状は、以上の５種類に限定されるものではなく、他の形状であってもよい。前記洗濯機の外壁における前記呼吸ライトの位置も以上の５つの態様における位置に限定されるものではない。ユーザは、呼吸ライト群における呼吸ライトの明暗数の割合、洗濯プログラムの開始又は終了時の呼吸ライト群における呼吸ライトの明暗状況、及び洗濯プログラムの合計運転時間に基づいて、洗濯機の残り洗濯時間を大よそ推定することができる。呼吸ライトの構造と位置は、いずれも本出願の保護範囲に属する。
【００５７】
実施例１と同様に、本実施例における扉体６２は、扉ヒンジにより筐体６１に接続され、扉ヒンジは、呼吸ライト群のハーネスを収容する通路を有し、ハーネスは、通路を経て筐体６１を通ってコンピュータプログラムコントローラに接続されている。
【００５８】
本出願は、以上のいずれか１つの装置実施例に係る洗濯機に適用される洗濯機の制御方法であって、コンピュータプログラムコントローラにより、呼吸ライト群における呼吸ライトの明暗数の割合を変更することで、洗濯機の異なる作業状態を区別して表示するステップＳ１を含む洗濯機の制御方法を更に提供する。
【００５９】
以下、２つの実施例により実現方法を説明する。
【００６０】
（実施例７）
当該実施例において、ステップＳ１は、
コンピュータプログラムコントローラにより、式ｎ＝ΔＴ＊Ｎ／Ｔ０に基づいて、作業プロセスがΔＴの段階に達した際に点灯される呼吸ライトの数ｎを算出する（そのうち、Ｔ０は選択されたプログラムの合計運転時間であり、ΔＴは選択されたプログラムが既に運転した時間であり、Ｎは呼吸ライトの合計数である）ステップＳ１１１と、
作業プログラムの運転が開始した後、コンピュータプログラムコントローラにより、作業プロセスがΔＴの段階に達するとｎ個の呼吸ライトを点灯させるステップＳ１１２とを含む。
【００６１】
選択されたプログラムが運転していないと、全ての呼吸ライトは減光／消灯しているが、作業プロセスの変化に伴お、減光／消灯する前記呼吸ライトの数が次第に減少し、点灯する前記呼吸ライトの数が次第に増加し、作業プログラムの運転終了に至ると、全ての呼吸ライトが点灯状態になる。
【００６２】
好ましくは、前記Ｎ個の呼吸ライトが環形に構成されることを例として、作業プログラムの運転が開始した後、コンピュータプログラムコントローラにより、作業プロセスがΔＴの段階に達する前の時間内に、予め設定された順番に従って隣り合うｎ個の呼吸ライトを点灯させ、この際、他のＮ−ｎ個の呼吸ライトが減光／消灯する。全ての呼吸ライトが点灯し、呼吸ライト群が最大の明るさに保持されると、作業プログラムが終了したと推定できる。
【００６３】
洗濯過程を１つの作業プログラムとすることを例として、洗濯過程全体を終了させる時間を３０ｍｉｎとする。選択されたプログラムが開始していないと、全ての呼吸ライトは減光／消灯しているが、洗濯過程が１０ｍｉｎに達すると、点灯する呼吸ライトの数が呼吸ライト群全体における呼吸ライトの数の３分の１を占め、洗濯過程が２０ｍｉｎに達すると、点灯する呼吸ライトの数が呼吸ライト群全体における呼吸ライトの数の３分の２を占め、洗濯過程が３０ｍｉｎに達すると、全ての呼吸ライトが点灯状態になる。これは、作業プログラム全体の運転が既に終了したことを示す。
【００６４】
本実施例において、ステップＳ１１２において、前記コンピュータプログラムコントローラは、作業プロセスがΔＴの段階に達する前の時間内に、予め設定された順番に従いｎ個の呼吸ライトを点灯させる。そのうち、一回で少なくとも１つの呼吸ライトを点灯させることができ、作業プロセスがΔＴの段階に達する前の時間内にｎ個の呼吸ライトを順次均一に点灯させればよい。
【００６５】
本実施例において、実施例１、実施例２又は実施例４に開示された呼吸ライトの形状及びその設置位置を例として、ある呼吸ライトから、時計回り又は反時計回りの方向に従お順次呼吸ライトを点灯させることができる。又は、ある呼吸ライトから、当該呼吸ライトの両側の２つの異なる方向に沿って順次呼吸ライトを点灯させてもよい。
【００６６】
実施例３に開示された呼吸ライトの形状及びその設置位置を例として、左側の１つ目の呼吸ライトから、右へ順次呼吸ライトを点灯させることができる。
【００６７】
実施例５に開示された呼吸ライトの形状及びその設置位置を例として、ある列の呼吸ライトから、時計回り又は反時計回りの方向に従お順次呼吸ライトを点灯させることができる。
【００６８】
実施例６に開示された呼吸ライトの形状及びその設置位置を例として、最内周の呼吸ライトから、内から外へ順次呼吸ライトを点灯させることができる。
【００６９】
（実施例８）
当該実施例において、ステップＳ１は、
コンピュータプログラムコントローラにより、式ｎ＝ΔＴ＊Ｎ／Ｔ０に基づいて、作業プロセスがΔＴの段階に達すると減光／消灯する呼吸ライトの数ｎを算出する（そのうち、Ｔ０は選択されたプログラムの合計運転時間であり、ΔＴは選択されたプログラムの残り時間であり、Ｎは呼吸ライトの合計数である）ステップＳ１２１と、
作業プログラムの運転が開始した後、コンピュータプログラムコントローラにより、作業プロセスがΔＴの段階に達するとｎ個の呼吸ライトを減光／消灯させるステップＳ１２２とを含む。
【００７０】
選択されたプログラムが運転していないと、全ての呼吸ライトが点灯し、作業プログラムが開始した後、作業スケジュールの変化に伴お、点灯する前記呼吸ライトの数が次第に減少し、減光／消灯する前記呼吸ライトの数が次第に増加し、作業プログラムの運転終了に至ると、全ての呼吸ライトが減光／消灯状態になる。
【００７１】
ステップＳ１２２で具現化されているように、好ましくは、前記Ｎ個の呼吸ライトが環形に構成されることを例として、作業プログラムの運転が開始した後、コンピュータプログラムコントローラにより、作業プロセスがΔＴの段階に達する前の時間内に、予め設定された順番に従い隣り合うｎ個の呼吸ライトを減光／消灯させ、この際、他のＮ−ｎ個の呼吸ライトが点灯する。全ての呼吸ライトが減光／消灯し、呼吸ライト群が最小の明るさに保持されると、作業プログラムが終了したと推定できる。
【００７２】
本実施例において、ステップＳ１２２において、前記コンピュータプログラムコントローラは、作業プロセスがΔＴの段階に達する前の時間内に、予め設定された順番に従いｎ個の呼吸ライトを減光／消灯させる。そのうち、一回で少なくとも１つの呼吸ライトを減光／消灯させることができ、作業プロセスがΔＴの段階に達する前の時間内にｎ個の呼吸ライトを順次均一に減光／消灯させればよい。
【００７３】
前記呼吸ライトの減光／消灯順番は、実施例７における呼吸ライトの点灯順番と同じであるため、ここでは説明を省略する。
【００７４】
本出願に係る洗濯機の制御方法は、前記洗濯機に適用され、コンピュータプログラムコントローラにより、呼吸ライト群における呼吸ライトの明暗数の割合を変更することで、洗濯機の異なる作業プログラムを区別して表示するステップＳ１を含む。そのため、この洗濯機を用いると、ユーザは、洗濯機から遠く離れ、表示画面における表示内容がはっきりと見えない場合においても、呼吸ライトユニットにおける呼吸ライトの明暗数の割合に基づいて、容易に洗濯機のリアルタイム運転状態を大よそ推定することができるとともに、洗濯機のプログラムの運転スケジュール、例えばプログラムが終了するまでの時間の様子を見ることができる。よって、ユーザ体験が改善されるとともに、外観効果も向上する。
【００７５】
同時に、洗濯機の運転中に、呼吸ライトの点灯時間の長さを制御することにより、洗濯機の作業状態を柔軟に表示できる。洗濯機に呼吸ライトを設置することにより、洗濯の残り時間通知の効果を有するほか、非常に良い視覚装飾効果を奏する。呼吸ライト群の明から暗への徐変は、呼吸のように、視覚的な通知を提供することができ、非常に良い視覚装飾効果を奏し、ユーザ体験の効果を上げ、洗濯機に美しくお洒落でスマートな外観を与える。洗濯機の洗濯状態と洗濯の残り時間に対する判断の柔軟性と利便性を向上させ、自然で躍動的で、生命力にあふれている。
【００７６】
なお、上記説明は本出願の好ましい実施例及び用いられる技術原理に過ぎない。当業者は、本出願がここに記載された特定の実施例に限定されず、当業者においては、本出願の保護範囲を逸脱しない範囲で、各種の明らかな変更、調整及び置換を行うことができるということを理解すべきである。従って、上記実施例により本発明を詳しく説明したが、本出願は、上記実施例に限定されず、本出願の構想を逸脱しない場合、他の均等な実施例をより多く含んでもよく、本出願の範囲は、添付された特許請求の範囲により決定される。
【産業上の利用可能性】
【００７７】
本発明の実施例に係る洗濯機を用いると、ユーザは、洗濯機から遠く離れ、表示画面における表示内容がはっきりと見えない場合においても、呼吸ライト群における呼吸ライトの明暗数の割合に基づいて、容易に洗濯機のリアルタイム運転状態を大よそ推定することができるとともに、ハーネスが扉ヒンジ内に隠れることで、ハーネスが効果的に固定されて保護される一方、ユーザには外部からハーネスが見えず、洗濯機の外観が美しくなる。
【符号の説明】
【００７８】
１１−筐体、１２−扉体、１３−上蓋板、１４−制御板、１１１−前板、１４１−機能選択つまみ、１４２−電源ボタン、１４３−残り時間表示領域、１４４−作業状態表示領域、１４４１−パイロットランプ、１４４２−文字記載サブ領域、２１−筐体、２２−扉体、２３−上蓋板、２４−制御板、２５−呼吸ライト、２６−扉ヒンジ、２１１−前板、２２２−中枠、２２２１−外環面、２２２２−中環面、２２２３−環形凹溝、２２２４−取付部、２４１−機能選択つまみ、２４２−電源ボタン、２４３−残り時間表示領域、２４４−作業状態表示領域、２４４１−パイロットランプ、２４４２−文字記載サブ領域、２５１−暗領域、２５２−点灯領域、２６１−ヒンジベース、２６２−支持片持ち、２６３−回転軸、２６４−凹溝、２６５−リブ、３１−筐体、３２−扉体、３４−制御板、３５−呼吸ライト、３１１−前板、４１−筐体、４２−扉体、４４、制御板、４５−呼吸ライト、４１１−前板、５１−筐体、５２−扉体、５４−制御板、５５−呼吸ライト、５１１−前板、６１−筐体、６２−扉体、６４−制御板、６５−呼吸ライト、６１１−前板。
【図１】
0006538877.tif 000002
【図２】
0006538877.tif 000003
【図３】
0006538877.tif 000004
【図４】
0006538877.tif 000005
【図５】
0006538877.tif 000006
【図６】
0006538877.tif 000007
【図７】
0006538877.tif 000008
【図８】
0006538877.tif 000009
【図９】
0006538877.tif 000010
【図１０】
0006538877.tif 000011
【図１１】
0006538877.tif 000012
【図１２】
0006538877.tif 000013
【図１３】
0006538877.tif 000014
【図１４】
0006538877.tif 000015